(57)【要約】【課題】スライダーからの固形糊の離脱を確実に防止できるようにした固形糊繰出用容器を提供する。【解決手段】筒体３の一端に装着された尾栓４の回動により、尾栓４と一体に形成されたネジ杆５を、筒体３内で回動させることによって、そのネジ杆５との螺合と、筒体３内周面に軸線方向に設けた案内突条１５による案内とによって、筒体３内を軸線方向に往復動しうるスライダー７に、棒状の固形糊６を装着させて、筒体３より固形糊６の先端部６ａを出没させるようにする。このスライダー７を、案内突条１５によって昇降自在に案内される外側筒状体８と、この外側筒状体８内の中心軸部に配置され、かつネジ杆５が貫通されるように螺合される内側筒状体９と、この内側筒状体９と外側筒状体８との間に配設されて、両筒状体８，９同士を互いに連結する複数の連結杆１１とにより構成する。【選択図】図１
2007283734.tif 000002
【特許請求の範囲】
【請求項１】
筒体の一端に装着された尾栓の回動により、尾栓と一体に形成されたネジ杆を、筒体内で回動させることによって、そのネジ杆との螺合と、筒体内周面に軸線方向に設けた案内突条による案内とによって、筒体内を軸線方向に往復動しうるスライダーを備え、このスライダーに、棒状の固形糊を装着させて、筒体より固形糊の先端部を出没させるようにするための固形糊繰出用容器において、
スライダーを、前記案内突条によって昇降自在に案内される外側筒状体と、この外側筒状体内の中心軸部に配置され、かつ前記ネジ杆が貫通されるように螺合される内側筒状体と、この内側筒状体と外側筒状体との間に配設されて、両筒状体を互いに連結する複数の連結杆とにより構成したことを特徴とする固形糊繰出用容器。
【請求項２】
連結杆を、内外両筒状体の上端部同士または下端部同士を連結するように配設したことを特徴とする請求項１記載の固形糊繰出用容器。
【請求項３】
連結杆を、平面視において内側筒状体から外側筒状体に向けて放射状に延びるように複数配設したことを特徴とする請求項１または２記載の固形糊繰出用容器。
【請求項４】
連結杆の長手方向に対する垂直縦断面を、ほぼ逆台形または逆三角形の形状にしたことを特徴とする請求項１〜３のいずれかに記載の固形糊繰出用容器。
【請求項５】
外側筒状体または内側筒状体の少なくとも一方に、外側筒状体の上端部から、内側筒状体に向け内方に延びる環状張出部、または内側筒状体の上端部から、外側筒状体に向け外方に延びる環状張出部を形成したことを特徴とする請求項１〜４のいずれかに記載の固形糊繰出用容器。
【発明の詳細な説明】
【技術分野】
【０００１】
本発明は、固形糊繰出用容器に関する。
【背景技術】
【０００２】
従来の固形糊繰出用容器においては、筒体の一端に装着された尾栓の回動により、尾栓と一体に形成されたネジ杆を、筒体内で回動させることによって、そのネジ杆との螺合と、筒体内周面に軸線方向に設けた案内突条による案内とによって、スライダーを筒体内を昇降しうるように往復動させる構造とし、このスライダーに、棒状の固形糊の一端を装着して、筒体から出没自在としてあるとともに、スライダーを、その中心軸部にネジ杆が螺合して貫通する筒状ねじ孔を有する有底円筒形に形成したものが知られている（特許文献１〜３における従来例の記載参照）。
【０００３】
しかし、上述したような有底円筒形スライダーの場合には、棒状の固形糊の一端を有底円筒形のスライダーに装着させただけであるので、例えば使用中に、固形糊の筒体からの出没を繰り返す過程において、固形糊が筒体内周面に粘着したり、あるいは固形糊の先端が被塗布面に接着して引張られたりすると、固形糊が、スライダーから抜け出して離脱し、使用不能となる場合があった。
また、特許文献１〜３に記載のスライダーのように、板体の中心軸部に設けた筒状体の外周面に、単数または複数の外向きの係止突起を突出させた場合でも、固形糊のスライダーからの抜出し防止効果が不十分であるという問題があった。
【特許文献１】特開２００３−６３１９７号公報（図７、９参照）
【特許文献２】特開２００３−３２０７９４号公報（図３、８参照）
【特許文献３】特開２００４−２５６２６号公報（図３、７参照）
【発明の開示】
【発明が解決しようとする課題】
【０００４】
本発明は、従来の技術が有する上記の問題点に鑑み、スライダーからの固形糊の離脱を確実に防止することができるようにした固形糊繰出用容器を提供することを目的としている。
【課題を解決するための手段】
【０００５】
本発明によると、上記課題は、次のようにして解決される。
（１）  筒体の一端に装着された尾栓の回動により、尾栓と一体に形成されたネジ杆を、筒体内で回動させることによって、そのネジ杆との螺合と、筒体内周面に軸線方向に設けた案内突条による案内とによって、筒体内を軸線方向に往復動しうるスライダーを備え、このスライダーに、棒状の固形糊を装着させて、筒体より固形糊の先端部を出没させるようにするための固形糊繰出用容器において、スライダーを、前記案内突条によって昇降自在に案内される外側筒状体と、この外側筒状体内の中心軸部に配置され、かつ前記ネジ杆が貫通されるように螺合される内側筒状体と、この内側筒状体と外側筒状体との間に配設されて、両筒状体を互いに連結する複数の連結杆とにより構成する。
【０００６】
（２）  上記（１）項において、連結杆を、内外両筒状体の上端部同士または下端部同士を連結するように配設する。
【０００７】
（３）  上記（１）項または（２）項において、連結杆を、平面視において内側筒状体から外側筒状体に向けて放射状に延びるように複数配設する。
【０００８】
（４）  上記（１）項〜（３）項のいずれかにおいて、連結杆の長手方向に対する垂直縦断面を、ほぼ逆台形または逆三角形の形状にする。
【０００９】
（５）  上記（１）項〜（４）項のいずれかにおいて、外側筒状体または内側筒状体の少なくとも一方に、外側筒状体の上端部から、内側筒状体に向け内方に延びる環状張出部、または内側筒状体の上端部から、外側筒状体に向け外方に延びる環状張出部を形成する。
【発明の効果】
【００１０】
本発明によると、次のような効果を奏することができる。
請求項１記載の発明によれば、スライダーを、案内突条によって昇降自在に案内される外側筒状体と、その中心軸部に配置され、かつネジ杆が螺合されて貫通される内側筒状体と、外側筒状体と内側筒状体との間に配設されて、それらの間を互いに連結する連結杆とにより構成してあるため、スライダーに、固形糊を装着する際、液体状の糊が、外側筒状体と内側筒状体との間に流れ込み、冷却固化されることにより、連結杆が、固形糊の一端近傍において、固形糊中に埋没した状態となる。このため、固形糊がスライダーに強固に係止され、固形糊がスライダーから離脱することが、確実に防止される。
【００１１】
請求項２記載の発明によれば、連結杆を、内外両筒状体の上端部同士または下端部同士を連結するように配設にしてあるので、連結杆を棒状の固形糊の一端近傍に容易に埋没させることができ、外側筒状体の内周面と固形糊の外周面との付着と相俟って、固形糊のスライダーからの離脱防止効果を高めることができる。
【００１２】
請求項３記載の発明によれば、連結杆を、平面視において内側筒状体から外側筒状体に向けて放射状に延びるように複数配設してあるので、固形糊のスライダーからの離脱防止効果を、より一層高めることができる。
【００１３】
請求項４記載の発明によれば、連結杆の長手方向に対する垂直縦断面を、ほぼ逆台形または逆三角形の形状にしてあるので、固形糊の一端を、連結杆の裏側を巻き込むように係止させることができ、固形糊のスライダーからの離脱防止効果を一層高めることができる。
【００１４】
請求項５記載の発明によれば、外側筒状体または内側筒状体の少なくとも一方に、外側筒状体の上端部から、内側筒状体に向け内方に延びる環状張出部または内側筒状体の上端部から、外側筒状体に向け外方に延びる環状張出部を形成してあるので、固形糊を、環状張出部に食込み状態で係止させることができ、固形糊のスライダーからの離脱防止効果を、より一層高めることができる。
【発明を実施するための最良の形態】
【００１５】
以下、本発明の実施形態を、図面を参照して詳細に説明する。
図１は、本発明の第１実施形態を一部切欠いて示す縦断面図、図２は、スライダーの拡大斜視図、図３は、同じく、スライダーの平面図、図４は、図３のIV−IV線縦断面図、図５は、スライダーの底面図である。
【００１６】
本発明の固形糊繰出用容器は、図１に示すように、容器本体(１)とキャップ(２)とよりなる。
【００１７】
容器本体(１)は、筒体(３)と、その下端部に回動自在に装着された尾栓(４)と、その上面中央に一体に立設したネジ杆(５)と、筒体(３)内に収容される棒状の固形糊(６)を保持するスライダー(７)とよりなる。
【００１８】
スライダー(７)は、図２〜図５に示すように、外側筒状体(８)と、この外側筒状体(８)内の中心軸部に配置された内側筒状体(９)と、その内周面に形成されたねじ孔(10)と、外側筒状体(８)の内周面における上端部(8a)と内側筒状体(９)の外周面における上端部(9a)との間を互いに連結する複数本（図示の実施形態では３本）の連結杆(11)とにより構成されている。これら連結杆(11)は、平面視において、内側筒状体(９)の外周面から外側筒状体(８)の内周面に向けて放射状に延びるように配設されている。
【００１９】
外側筒状体(８)の内周面における上端部(8a)には、内側筒状体(９)に向け内方に延びる環状張出部(12)が形成されており、また、内側筒状体(９)の外周面における上端部(9a)には、外側筒状体(８)に向け外方に延びる環状張出部(13)が形成されている。さらに、外側筒状体(８)の外周側面には、軸線方向に延びる複数のスライド溝(14)が、連結杆(11)の連結部位にそれぞれ対応する位置に形成されている。これらスライド溝(14)は、筒体(３)の内周面における軸線方向に形成した案内突条(15)に係合され、スライダー(７)を、その水平方向の回動を阻止して、筒体(３)内を上下方向にスライド自在となるようにしている。
【００２０】
内側筒状体(９)の内周面に形成したねじ孔(10)には、その下方から尾栓(４)のネジ杆(５)が貫通状態で螺合されるようになっている。
【００２１】
スライダー(７)は、尾栓(４)の回動により、尾栓(４)と一体に形成されたネジ杆(５)を、筒体(３)内で回動させることによって、そのネジ杆(５)との螺合と、スライド溝(14)と案内突条(15)による案内とによって、筒体(３)内を軸線方向に昇降自在となり、この昇降動作により、固形糊(６)の先端部(6a)を、筒体(３)の上端開口(3a)より出没させるようになっている。
【００２２】
固形糊(６)のスライダー(７)への装着は、次のようにして行われる。
まず、別途用意した糊装着用筒体（図示せず）の内底部に、スライダー(７)を配設し、上方から糊装着用筒体内に液体状の糊を流し込み、糊をスライダー(７)内の内外両筒状体(８)(９)間にも、隣接する連結杆(11)(11)間から流入させて充填し、冷却して固化させる。次いで、糊装着用筒体を脱型することによって、棒状の固形糊(６)の後端部(6b)をスライダー(７)に一体的に装着させる。
これにより、固形糊(６)の後端部(6b)は、糊の固化と共にスライダー(７)の内外両筒状体(８)(９)間の内外両周面に付着するとともに、各連結杆(11)の固形糊(６)内への埋没及び外側筒状体(８)の上端部(8a)と内側筒状体(９)の上端部(9a)とに形成された環状張出部(12)(13)の固形糊(６)への食込みにより、スライダー(７)に強固に係止される。
【００２３】
図６〜図１１は、本発明の第２実施形態を示す図面である。
図６は、本発明の第２実施形態を一部切欠いて示す縦断面図、図７は、スライダーの拡大斜視図、図８は、同じく、スライダーの平面図、図９は、図８におけるIX−IX線縦断面図、図１０は、図８におけるＸ−Ｘ線縦断面図、図１１は、スライダーの底面図である。
【００２４】
本実施形態と第１実施形態との相違点は、図６に示すように、スライダー(16)の形状にある。なお、本実施形態において、第１実施形態と構成が重複する部分は、説明を省略する。
【００２５】
第１実施形態と異なるスライダー(16)は、図７〜図１１に示すように、外側筒状体(17)と、この外側筒状体(17)内の中心軸部に配置された内側筒状体(18)と、その内周面に形成されたねじ孔(19)と、外側筒状体(17)の内周面における下端部(17a)と内側筒状体(18)の外周面における下端部(18a)との間を互いに連結する複数本（図示の実施形態では３本）の連結杆(20)とにより構成されている。これら連結杆(20)は、第１実施形態の場合と同様に、平面視において、内側筒状体(18)の外周面から外側筒状体(17)の内周面に向けて放射状に延びるように配設されているとともに、図１０に示すように、連結杆(20)の長手方向に対する垂直縦断面を、ほぼ逆台形にしてある。なお、この場合、連結杆(20)における他の断面形態としては、逆三角形の形状にしてもよい。
【００２６】
スライダー(16)への固形糊の装着は、第１実施形態と同様に、別途用意した糊装着用筒体（図示せず）の内底部に、スライダー(16)を配設し、上方から糊装着用筒体内に液体状の糊を流し込み、糊を、スライダー(16)内の内外両筒状体(17)(18)間にも充填し、冷却固化させる。
これにより糊は、逆台形をなす各連結杆(20)の裏側にも巻き込まれるため、固形糊は、スライダー(16)に強固に係止される。
【００２７】
なお、上記第１実施形態において、連結杆(11)を、上記第２実施形態で示す連結杆(20)と同様に、その長手方向に対する垂直縦断面が、ほぼ逆台形または逆三角形の形状をなすようにすれば、固形糊(６)のスライダー(16)からの離脱防止効果を、より一層高めることができる。
【図面の簡単な説明】
【００２８】
【図１】本発明の第１実施形態を一部切欠いて示す縦断面図である。
【図２】スライダーの拡大斜視図である。
【図３】同じく、スライダーの平面図である。
【図４】図３におけるIV−IV線縦断面図である。
【図５】スライダーの底面図である。
【図６】本発明の第２実施形態を一部切欠いて示す縦断面図である。
【図７】スライダーの拡大斜視図である。
【図８】同じく、スライダーの平面図である。
【図９】図８におけるIX−IX線縦断面図である。
【図１０】図８におけるＸ−Ｘ線縦断面図である。
【図１１】スライダーの底面図である。
【符号の説明】
【００２９】
(１)  容器本体
(２)  キャップ
(３)  筒体
(3a)  開口
(４)  尾栓
(５)  ネジ杆
(６)  固形糊
(6a)  先端部
(6b)  後端部
(７)  スライダー
(８)  外側筒状体
(8a)  上端部
(９)  内側筒状体
(9a)  上端部
(10)  ねじ孔
(11)  連結杆
(12)  環状張出部
(13)  環状張出部
(14)  スライド溝
(15)  案内突条
(16)  スライダー
(17)  外側筒状体
(17a) 下端部
(18)  内側筒状体
(18a) 下端部
(19)  ねじ孔
(20)  連結杆
【図１】
2007283734.tif 000003
【図２】
2007283734.tif 000004
【図３】
2007283734.tif 000005
【図４】
2007283734.tif 000006
【図５】
2007283734.tif 000007
【図６】
2007283734.tif 000008
【図７】
2007283734.tif 000009
【図８】
2007283734.tif 000010
【図９】
2007283734.tif 000011
【図１０】
2007283734.tif 000012
【図１１】
2007283734.tif 000013